(57)【要約】      （修正有）【課題】環状のワークの内外径面をセンタレス方式で同時に研削する研削方法において、研削精度の向上およびサイクルタイムの短縮を図ることができる内外径面同時研削方法を提供する。【解決手段】環状のワークＷの外径面Ｗａの２箇所を支持してワークＷを回転させながら、ワークＷの内外径面Ｗａ、Ｗｂを、内径用および外径用砥石車４、５によりセンタレス方式で同時に研削するに際して、内径用および外径用砥石車４、５の回転方向をダウンカット方向、つまり砥石車とワークとが接触する研削位置において、砥石車の接線方向への走行方向がワークの接線方向への走行方向と同じになる回転方向とするとともに、内径用および外径用砥石車４、５のそれぞれによる研削荷重Ｆ４、Ｆ５、およびＦ４とＦ５との合力Ｆ４５を、ワークＷの外径面Ｗａにおけるフロントシュー２およびリヤシュー３による２箇所の支持位置２ａ、３ａ間に作用させる。【選択図】図１
2014213398.tif 000002
【特許請求の範囲】
【請求項１】
環状の工作物の外径面の２箇所を支持して工作物を回転させながら、この工作物の内径面と外径面を、内径用砥石車と外径用砥石車によりセンタレス方式で同時に研削する研削方法であって、
前記内径用および外径用砥石車の回転方向をダウンカット方向とするとともに、前記内径用および外径用砥石車の研削荷重を前記工作物の外径面における２箇所の支持位置間に作用させる
ことを特徴とする環状工作物の内外径面同時研削方法。
【請求項２】
前記内径用および外径用砥石車の研削荷重の作用方向が、工作物の外径面における前記２箇所の支持位置を通る半径のなす中心角の範囲内にあるように設定する
ことを特徴とする請求項１に記載の環状工作物の内外径面同時研削方法。
【請求項３】
前記内径用および外径用砥石車の研削荷重の作用方向が前記中心角の範囲内にあるように、前記内径用および外径用砥石車の前記工作物に対する研削位置、回転速度および切込み方向を設定する
ことを特徴とする請求項２に記載の環状工作物の内外径面同時研削方法。
【請求項４】
前記外径研削砥石車による工作物の外径面研削と、前記内径研削砥石車による工作物の内径面研削を相互に独立して行なう
ことを特徴とする請求項１から３のいずれか一つに記載の内外径面同時研削方法。
【請求項５】
前記外径研削砥石車による工作物の外径面研削を完了した後に、前記内径研削砥石車による工作物の内径面の仕上げ研削を行なう
ことを特徴とする請求項１から４のいずれか一つに記載の内外径面同時研削方法。
【請求項６】
環状の工作物の外径面の２箇所を支持して工作物を回転させながら、この工作物の内径面と外径面を、内径用砥石車と外径用砥石車によりセンタレス方式で同時に研削する研削装置であって、
工作物の端面を支持して回転駆動させるワーク回転主軸と、
工作物のフロント側外径面とリヤ側外径面を支持する一対の支持手段と、
工作物の外径面を研削する回転可能な外径研削砥石車と、
環状工作物の内径面を研削する回転可能な内径研削砥石車と、
前記ワーク回転主軸、外径研削砥石車および内径研削砥石車を相互に連動して制御する制御手段とを備えてなり、
前記制御手段は、前記ワーク回転主軸、外径研削砥石車および内径研削砥石車を相互に連動して制御することにより、請求項１から５のいずれか一つに記載の内外径面同時研削方法が実行される制御構成とされている
ことを特徴とする環状工作物の内外径面同時研削装置。
【請求項７】
前記支持手段は、工作物の外径面を摺接支持するシューである
ことを特徴とする請求項６に記載の環状工作物の内外径面同時研削装置。
【発明の詳細な説明】
【技術分野】
【０００１】
この発明は、環状工作物の内外径面同時研削方法および研削装置に関し、さらに詳細には、環状の工作物の内径面と外径面をセンタレス方式で同時に研削する技術に関する。
【背景技術】
【０００２】
環状工作物（以下ワークと称する。）の内径面と外径面の両径面を研削する場合、それぞれ専用の研削盤が別途使用されていたため、機械設備費が高くつくとともに、機械設置のフロアスペースが２台分必要となり、加工時間も長くなる等の問題があった。
【０００３】
この点に関して、例えば特許文献１〜５に示すように、ワークの外径面の２箇所をシュー等の支持部材により支持してワークを回転させながら、このワークの内径面と外径面を、内径用砥石車と外径用砥石車によりセンタレス方式で同時に研削する研削方法が種々開発されている。
【０００４】
これらの研削方法においては、内径用および外径用砥石車によるワークの研削位置と切込み方向を工夫することで、ワークの安定した回転を得て、高い研削精度を確保する（特許文献１）、内径用および外径用砥石車のワークに対する切込み送りを行う際に、ワーク外径面の研削に起因するワーク回転中心移動量に基づいて切込み送り量を補正演算する（特許文献２）、従来のセンタレス研削盤と同様にして外径用砥石車によりワークの外径面を研削すると同時に、内径用砥石車によりワークの内径面を研削する（特許文献３）、ワークの内外径面を同時に研削することにより、ワークの残留応力を徐々に解放させ、外径面の切り込みを終了した後に内径面の切り込みを継続することで、ワークの内外径面を高精度加工する（特許文献４）、あるいは、内径用および外径用砥石車によるワークに対する切込を同時に開始し、仕上研削までの粗研削中においては、内径面および外径面の切込量比および切込速度比を一定にして、粗研削を同時に終了する（特許文献５）など、種々の工夫がなされて、装置設備の小型化、研削サイクルタイムの短縮化を図りつつ、研削精度の向上が図られている。
【先行技術文献】
【特許文献】
【０００５】
【特許文献１】特開平６−３３９８４３号公報
【特許文献２】特開平７−８０７６３号公報
【特許文献３】特開平７−２７６１９６号公報
【特許文献４】特開２００４−１７４６５７号公報
【特許文献５】特開２００８−８０４３８号公報
【発明の開示】
【発明が解決しようとする課題】
【０００６】
本発明は、上述した従来技術と同様な環状ワークの内外径面をセンタレス方式で同時に研削する研削方法において、砥石車のワークに対する回転方向および切込み方向を工夫することにより、研削精度の向上およびサイクルタイムの短縮を図ることができる内外径面同時研削方法を提供することを目的とする。
【０００７】
本発明のもう一つの目的とするところは、上記内外径面同時研削方法を実施するのに適した内外径面同時研削装置を提供することにある。
【課題を解決するための手段】
【０００８】
上記目的を達成するため、本発明の内外径面同時研削方法は、環状のワークの外径面の２箇所を支持してワークを回転させながら、このワークの内径面と外径面を、内径用砥石車と外径用砥石車によりセンタレス方式で同時に研削する研削方法であって、上記内径用および外径用砥石車の回転方向をダウンカット方向とするとともに、上記内径用および外径用砥石車の研削荷重を上記ワークの外径面における２箇所の支持位置間に作用させることを特徴とする。
【０００９】
ここに、「ダウンカット方向」とは、砥石車によるワークの内外径面の研削位置（接触位置）において、砥石車の接線方向への走行方向がワークの接線方向への走行方向と同じになる回転方向を意味する（以下、本明細書および特許請求の範囲を通じて同様とする）。
【００１０】
好適な実施態様として、以下の構成が採用される。
（１）上記内径用および外径用砥石車の研削荷重の作用方向が、ワークの外径面における上記２箇所の支持位置を通る半径のなす中心角の範囲内にあるように設定する。
【００１１】
ここに、「ワークの外径面における上記２箇所の支持位置を通る半径のなす中心角の範囲内」とは、ワーク断面を形成する環状輪郭円において、上記２箇所の支持位置をそれぞれ通る２つの半径（上記環状輪郭円の中心角をなす。）の内側区域に加えて、これら両半径のワークの外側への延長線の内側区域も含む意味である（以下、本明細書および特許請求の範囲を通じて同様とする）。
【００１２】
（２）上記内径用および外径用砥石車の研削荷重の作用方向が上記中心角の範囲内にあるように、上記内径用および外径用砥石車の上記ワークに対する研削位置、回転速度および切込み方向を設定する。
【００１３】
（３）上記外径用砥石車によるワークの外径面研削と、上記内径用砥石車によるワークの内径面研削を相互に独立して行なう。
【００１４】
（４）上記外径用砥石車によるワークの外径面研削を完了した後に、上記内径用砥石車によるワークの内径面の仕上げ研削を行なう。
【００１５】
本発明の内外径面同時研削装置は、上記研削方法を実施するのに適した装置であって、ワークの端面を支持して回転駆動させるワーク回転主軸と、ワークのフロント側外径面とリヤ側外径面を支持する一対の支持手段と、ワークの外径面を研削する回転可能な外径用砥石車と、環状ワークの内径面を研削する回転可能な内径用砥石車と、上記ワーク回転主軸、外径用砥石車および内径用砥石車を相互に連動して制御する制御手段とを備えてなり、上記制御手段は、上記ワーク回転主軸、外径用砥石車および内径用砥石車を相互に連動して制御することにより、上記の内外径面同時研削方法が実行される制御構成とされていることを特徴とする。
【００１６】
好適な実施態様として、上記支持手段はワークの外径面を摺接支持するシューである。
【発明の効果】
【００１７】
本発明によれば、環状のワークの外径面の２箇所を支持してワークを回転させながら、このワークの内径面と外径面を、内径用砥石車と外径用砥石車によりセンタレス方式で同時に研削するに研削方法において、上記内径用および外径用砥石車の回転方向をダウンカット方向にするとともに、上記内径用および外径用砥石車の研削荷重を上記ワークの外径面における２箇所の支持位置間に作用させるから、研削荷重によるワークの回転への影響を無くして、研削精度、特に真円度の向上および研削サイクルタイムの短縮を図ることができる。
【００１８】
すなわち、上記内径用および外径用砥石車の回転方向をダウンカット方向にするとともに、上記内径用および外径用砥石車の研削荷重を上記ワークの外径面における２箇所の支持位置間に作用させることにより、以下の特有の効果が得られる。
【００１９】
（１）内径用および外径用砥石車の回転方向がダウンカット方向であるから、これら砥石車のいずれの研削荷重によってもワークの回転が止まることはなく、かつ内径用および外径用砥石車の研削荷重をワークの外径面における上記２箇所の支持位置間に作用させることで、ワークの浮き上がりも有効に抑制されて、ワークの安定した回転支持が得られ、その結果、高い研削精度を確保することができるとともに、ワークの内径研削と外径研削をそれぞれ独立して行うことも可能である。
【００２０】
（２）このようにワークの内径研削と外径研削をそれぞれ独立して行なえるため、最短の研削時間で研削が行うことができる（研削サイクルタイムの短縮化）。
【００２１】
（３）ワークの外径面をシュー等の支持手段により支持しているため、ワークの内径面の真円度は、外径面の真円度の影響を受けるところ、ワークの外径研削を完了してから内径面の仕上げ研削を行うことにより、真円度の良い高精度な内径研削が可能となる。
【図面の簡単な説明】
【００２２】
【図１】本発明の実施形態１である立形シュータイプセンタレス複合研削盤の主要部を示す概略平面構成図である。
【図２】同じく同センタレス複合研削盤の主要部を一部断面で示す概略正面構成図である。
【図３】同センタレス複合研削盤において、シュー支持されたワークに対する外径用砥石車の研削構成を示す平面図である。
【図４】同センタレス複合研削盤において、シュー支持されたワークに対する内径用砥石車の研削構成を示す平面図である。
【図５】比較例としてのシュータイプセンタレス複合研削盤の主要部を示す概略平面構成図である。
【図６】本発明の実施形態２であるシュータイプセンタレス複合研削盤の主要部を一部断面で示す概略正面構成図である。
【図７】図７（ａ）〜（ｃ）は、本発明の立形シュータイプセンタレス複合研削盤の主要部であるシューの支持構造の改変例を示す概略平面構成図である。
【発明を実施するための形態】
【００２３】
以下、本発明の実施形態を図面に基づいて詳細に説明する。なお、図面全体にわたって同一の符号は同一の構成部材または要素を示している。
【００２４】
実施形態１
本発明に係る内外径同時研削装置を図１および図２に示し、この研削装置は、環状のワークＷの外径面Ｗａの２箇所を支持してワークＷを回転させながら、このワークＷの外径面Ｗａと内径面Ｗｂをセンタレス方式で同時に研削するもので、具体的には、ワークＷの外径面Ｗａを２つのシュー２、３で支持するシュータイプセンタレス複合研削盤である。
【００２５】
この研削盤は、ワークＷの端面Ｗｃを支持して回転駆動させるワーク回転主軸１と、ワークＷの外径面Ｗａのフロント側およびリヤ側を支持する前後一対の支持手段としての上記フロントシュー２およびリヤシュー３と、ワークＷの外径面Ｗａを研削する回転可能な外径用砥石車４と、ワークＷの内径面Ｗｂを研削する回転可能な内径用砥石車５と、上記ワーク回転主軸１、外径用砥石車４および内径用砥石車５を相互に連動して制御する制御装置（制御手段）６とを主要部として備えてなり、図示の実施形態においては、上記ワーク回転主軸１、外径用砥石車４および内径用砥石車５の軸線が垂直上下方向へ向けて配置されてなる立形のものである。
【００２６】
ワーク回転主軸１は、垂直状態で主軸台に回転可能に軸支されるとともに、動力伝導ベルトや歯車機構を介して駆動モータ等の駆動源に駆動連結されるとともに、その先端にはマグネットチャック７が装着されている。ワークＷは、その端面Ｗｃが上記マグネットチャック７の磁力により吸引支持された状態で、ワーク回転主軸１の回転駆動により、ワーク回転主軸１と一体で矢符Ｘ方向へ所定速度をもって支持回転される。ワーク回転主軸１の駆動源は、制御装置６に電気的に接続されている。
【００２７】
フロントシュー２は、ワークＷの外径面Ｗａのフロント側つまり外径用砥石車４側位置を摺接支持するとともに、リヤシュー３は、ワークＷの外径面Ｗａのリヤ側つまりワークＷの中心線を基準として外径用砥石車４の反対側位置を摺接支持して、ワークＷの外径面Ｗａの円周方向２個所を位置決め支持するように構成されている。これら両シュー２、３の支持位置２ａ、３ａについては、後述する外径用および内径用砥石車４、５の研削位置４ａ、５ａとの関係で具体的に設定される。
【００２８】
なお、図示の実施形態のフロントシュー２とリヤシュー３は、図１に示すように、その支持面がワークＷの外周面Ｗａを面接触で摺接支持する円筒面からなる、いわゆるＲ形状タイプのものが採用されており、上記支持位置２ａ、３ａとして上記円筒面の円周方向中心位置が設定されている。
【００２９】
外径用砥石車４は、具体的には図示しないが、その回転主軸が砥石車台上に回転可能に軸支されるとともに、動力伝導ベルトや歯車機構を介して駆動モータ等の駆動源に駆動連結され、矢符Ｙ方向へ所定速度をもって回転駆動される。また、上記砥石車台は、切込み装置により外径用砥石車４の切込み方向Ａへ往復移動可能とされ、これにより外径用砥石車４は、上記切込み装置により、矢符Ａ方向へ切込み動作される。
【００３０】
内径用砥石車５も、具体的には図示しないが、その回転主軸が砥石車台上に回転可能に軸支されるとともに、動力伝導ベルトや歯車機構を介して駆動モータ等の駆動源に駆動連結され、矢符Ｚ方向へ所定速度をもって回転駆動される。また、上記砥石車台は、切込み装置により内径用砥石車５の切込み方向Ｂへ往復移動可能とされ、これにより内径用砥石車５は、上記切込み装置により、矢符Ｂ方向へ切込み動作される。
【００３１】
外径用砥石車４および内径用砥石車５の駆動源および切込み装置の駆動源は、それぞれ制御装置６に電気的に接続されている。
【００３２】
次に、研削対象であるワークＷと、このワークＷを支持するフロントおよびリヤシュー２、３と、ワークＷを研削する外径用および内径用砥石車４、５との相対的な配置関係および研削条件について説明する。
【００３３】
まず、本発明の最大の特徴構成として、内径用および外径用砥石車４、５の回転方向は、ダウンカット方向に設定されるとともに、上記内径用および外径用砥石車４、５の研削荷重は、ワークＷの外径面Ｗａにおける２箇所の支持位置２ａ、３ａ間に作用するように設定されている。
【００３４】
すなわち、図１に示すように、外径用砥石車４によるワークＷの外径面研削位置（接触位置）４ａおよび内径用砥石車５によるワークＷの内径面研削位置（接触位置）５ａにおいて、回転する砥石車４、５の接線方向への走行方向がワークＷの接線方向への走行方向と同じになるように、両砥石車４、５の回転方向が設定されている。
【００３５】
換言すれば、図示の実施形態において、外径用砥石車４は反時計回りの回転とされ、ワークＷと内径用砥石車５は時計回りの回転とされている。
【００３６】
また、上記内径用および外径用砥石車４、５の研削荷重の作用方向は、ワークＷの外径面Ｗａにおける上記フロントおよびリヤシュー２、３による２箇所の支持位置２ａ、３ａ間に作用するように設定され、より望ましくは、上記フロントおよびリヤシュー２、３間角度θ内、つまり、図１に示されるように、ワークＷの断面を形成する環状輪郭円において、上記フロントおよびリヤシュー２、３による２箇所の支持位置２ａ、３ａを通るワークＷの半径のなす中心角θの範囲内にあるように設定する。
【００３７】
すなわち、上記内径用砥石車５の研削荷重（接線研削荷重Ｆtと法線研削荷重Ｆnの合力）Ｆ5の作用方向と、外径用砥石車４の研削荷重（接線研削荷重Ｆtと法線研削荷重Ｆnの合力）Ｆ4の作用方向は、それぞれ図３および図４に示すように、上記フロントおよびリヤシュー２、３による２箇所の支持位置２ａ、３ａを通るワークＷの両半径のなす中心角θの範囲内、つまり、ワークＷの上記中心角θをなす両半径の内側区域、およびこれら両半径のワークＷの外側への延長線の内側区域（図３および図４における仮想線ハッチング区域）にあるように設定される。この結果、内径用および外径用砥石車４、５の研削荷重Ｆ4、Ｆ5の合力Ｆ45の作用方向も上記中心角θの範囲内に設定される。
【００３８】
なお、図１、図３および図４において、フロントおよびリヤシュー２、３にかかる研削荷重Ｆ4、Ｆ5、Ｆ45はワークＷの中心を基準として模式的に描いている。
【００３９】
このような構成とされることにより、内径用および外径用砥石車４、５のいずれの研削荷重Ｆ4、Ｆ5によってもワークＷの回転が止まることはなく、かつ内径用および外径用砥石車４、５の研削荷重をワークＷの外径面Ｗａにおける上記２箇所の支持位置２ａ、３ａ間に作用させることで、ワークＷの浮き上がりも有効に抑制されて、ワークＷの安定した回転支持が得られ、その結果、高い研削精度を確保することができるとともに、ワークＷの内径研削と外径研削をそれぞれ独立して行うことも可能となる。
【００４０】
ちなみに、砥石車４、５の回転方向をダウンカット方向と逆にした場合、ワークＷの回転方向の逆方向に大きな力がかかり、ワークＷの回転が止まって不良品の発生する可能性がある。
【００４１】
また、上記研削荷重がシュー２、３間角度θ内にないと、ワークＷがシュー２、３から離れ、ワークＷが研削部から飛び出してしまい、砥石車４、５や装置の破損の恐れが生じる。また、研削ができたとしても正しい寸法のワークＷが得られず、不良品の発生にも繋がる。
【００４２】
図示の実施形態においては、図１に示すように、上記本発明の特徴構成に関連して、外径用砥石車４によるワークＷの外径面研削位置４ａが上記中心角θの範囲外に設定されるとともに、上記内径用砥石車５によるワークＷの内径面研削位置５ａが上記中心角θの範囲内に設定されている。
【００４３】
具体的には、上記内径用および外径用砥石車４、５の切込み方向は、同一平面内に設定され、上記外径面研削位置４ａは、外径用砥石車４のワークＷに対する切込み方向が図１において水平右方向（矢符Ａ方向）、つまり上記フロントおよびリヤシュー２、３の配列方向にほぼ平行となるように、設定されている。また、上記内径面研削位置５ａは、内径用砥石車５のワークＷに対する切込み方向が図１において水平後方向（矢符Ｂ方向）、つまり上記フロントおよびリヤシュー２、３の支持位置２ａ、３ａ間でかつ上記外径用砥石車４の切込み方向に垂直となるように、設定されている。
【００４４】
なお、図５に図示されるシュータイプセンタレス研削盤の構成は本発明の構成との比較例として示されている。
【００４５】
この研削盤は、本発明の創作開発途中において開発され、実施の現場において採用されていたもので、上述した本発明に係る研削盤と同様に、外径用および内径用砥石車４、５の研削荷重がフロントおよびリヤシュー２、３の支持位置２ａ、３ａ間（シュー間角度内）に作用するように構成されている。
【００４６】
この場合、内径用砥石車５の回転方向はダウンカット方向と逆の方向に設定されて、研削荷重もワークＷの回転方向に対して逆方向に作用するため、外径用砥石車４によるワークＷの外径研削が内径用砥石車５による内径研削よりも早く終了して、その後の研削が内径研削だけとなった場合、内径用砥石車５による内径研削荷重によりワークＷの回転が止まり、不良品が発生する危険がある。
【００４７】
一方、その危険防止対策のため、内径用砥石車５による内径研削完了後に、外径仕上げ研削を行ったりすると、研削サイクルタイムが長くなって、生産性に問題を生じてしまうという不具合があった。
【００４８】
また、内径研削の真円度はワークＷの外径面の真円度に影響されるため、内径研削は外径研削の完了直前に完了させたり、内径研削時にワークＷの回転が止まらないようにするための複雑な制御方法が必要であった。
【００４９】
本発明のセンタレス研削技術における前述した特徴構成は、上記の構成についての問題点の考察も含めて、本発明者による種々の試験研究の成果として生まれたものである。
【００５０】
制御装置６は、上記ワーク回転主軸１、外径用砥石車４および内径用砥石車５の各駆動源を相互に連動して制御するもので、具体的には、ＣＰＵ、ＲＯＭ、ＲＡＭおよびＩ／Ｏポートなどからなるマイクロコンピュータで構成されたＣＮＣ装置である。この制御装置６には、以下に述べる内外径同時研削工程（内外径同時研削方法）を実行するための制御プログラムが、数値制御データとして、予めまたは図示しない操作盤のキーボード等により適宜選択的に入力設定される。また、上記内径用および外径用砥石車４、５の研削荷重Ｆ4、Ｆ5、Ｆ45の作用方向も、制御装置６の操作盤の操作により、上記内径用および外径用砥石車４、５の研削対象となるワークＷに対する研削位置、回転速度および切込み方向を適宜調整設定することによって、上記中心角θの範囲内にあるように設定される。
【００５１】
しかして、以上のように構成された内外径同時研削装置において、環状のワークＷの外径面Ｗａの２箇所をフロントおよびリヤシュー２、３により摺接支持して、ワーク回転主軸１によりワークＷを回転させながら、外径用砥石車４を切込み方向Ａに切り込むとともに、内径用砥石車５を切込み方向Ｂに切り込んで、ワークＷの外径面Ｗａと内径面Ｗｂをセンタレス方式で同時に研削する。
【００５２】
この場合、上記内径用および外径用砥石車４、５の回転方向をダウンカット方向とするとともに、上記内径用および外径用砥石車４、５の研削荷重Ｆ4、Ｆ5、Ｆ45を上記ワークＷの外径面におけるフロントおよびリヤシュー２、３による２箇所の支持位置２ａ、３ａ間に作用させる。
【００５３】
本実施形態の構成によれば、内径用および外径用砥石車４、５の回転方向をダウンカット方向とするとともに、内径用および外径用砥石車４、５の研削荷重を、上記ワークＷの外径面Ｗａにおけるフロントおよびリヤシュー２、３による２箇所の支持位置２ａ、３ａ間、より望ましくは、上記両支持位置２ａ、３ａを通るワークＷの半径のなす中心角θの範囲内に作用させることにより、以下のような特有の効果が発揮され得る。
【００５４】
（１）内径用および外径用砥石車４、５の回転方向がダウンカット方向であるから、これら砥石車４、５のいずれの研削荷重によってもワークＷの回転が止まることはなく、かつ内径用および外径用砥石車４、５の研削荷重をワークＷの外径面における上記２箇所の支持位置２ａ、３ａ間に作用させることで、ワークＷの浮き上がりも有効に抑制されて、ワークＷの安定した回転支持が得られる。その結果、高い研削精度を確保することができるとともに、ワークＷの内径研削と外径研削をそれぞれ独立して行うことも可能である。
【００５５】
（２）このようにワークＷの内径研削と外径研削をそれぞれ独立して行なえるため、最短の研削時間で研削が行うことができる（研削サイクルタイムの短縮化）。
【００５６】
（３）ワークＷの外径面Ｗａをフロントおよびリヤシュー２、３により摺接支持しているため、ワークＷの内径面Ｗｂの真円度は、外径面Ｗａの真円度の影響を受けるところ、ワークＷの外径研削を完了した後に、内径用砥石車５によるワークＷの内径面Ｗｂの仕上げ研削を行うことにより、真円度の良い高精度な内径研削が可能となる。
【００５７】
実施形態２
本実施形態は図６に示されており、実施形態１における研削盤の主要部構成の一部を改変したものである。
【００５８】
すなわち、本実施形態の研削盤においては、外径用砥石車４の軸線がワークＷの垂直な軸線に対して傾斜した状態で配置され、ワークＷの外径面Ｗａの研削と同時に端面Ｗｄも研削する構成とされている。
【００５９】
この目的のため、外径用砥石車４の外周砥石面４ａは、図示されるように、ワークＷにおける円筒状の外径面Ｗａとこれに直交する平坦な端面Ｗｄに対応したプロフィールを備える形状寸法とされている。
【００６０】
しかして、以上のように構成された内外径同時研削装置において、外径用砥石車４によりワークＷの外径面Ｗａと端面Ｗｄを同時に研削することができる。
その他の構成および作用は実施例１と同様である。
【００６１】
なお、上述した実施形態１および実施形態２はあくまでも本発明の好適な実施態様を示すものであって、本発明はこれらに限定されることなく、その範囲内において種々設計変更可能である。
【００６２】
例えば、実施形態１および２においては、研削対象であるワークＷと、このワークＷを支持するフロントおよびリヤシュー２、３と、ワークＷを研削する外径用および内径用砥石車４、５との相対的な配置関係が、図１の平面図に示されるように設定されているが、これら５者の相対的配置関係は、内径用および外径用砥石車４、５の回転方向がダウンカット方向であり、かつ内径用および外径用砥石車４、５の研削荷重Ｆ4、Ｆ5、Ｆ45がワークＷの外径面Ｗａにおけるフロントおよびリヤシュー２、３による２箇所の支持位置２ａ、３ａ間に作用させるという条件が満たされる限り、ワークＷの形状寸法等種々の実施条件に応じて適宜設計変更可能である。
【００６３】
また、図示の実施形態においては、フロントシュー２とリヤシュー３として、図１に示すように、その支持面がワークＷの外周面Ｗａを面接触で摺接支持する円筒面からなる、いわゆるＲ形状タイプのものが採用されているが、このほか、図７（ａ）〜（ｃ）に示すタイプのものも目的に応じて適宜採用される。
【００６４】
すなわち、図７（ａ）に示されるフロントシュー２とリヤシュー３は、ワークＷの外周面Ｗａを線接触で摺接支持する平坦面からなる、いわゆるストレートタイプのもので、この場合は上記平坦面の線接触位置がそれぞれ上記支持位置２ａ、３ａとなる。
【００６５】
また、図７（ｂ）に示されるフロントシュー２とリヤシュー３は、ワークＷの外周面Ｗａを２箇所の線接触で摺接支持するＶ字状断面の支持面からなる、いわゆるＶ字形状タイプのもので、この場合は上記２箇所の線接触位置の円周方向中心位置がそれぞれ上記支持位置２ａ、３ａとなる。
【００６６】
また、図７（ｃ）に示されるフロントシュー２とリヤシュー３は、ワークＷの外周面Ｗａを２つの球体による点接触で摺接支持する、いわゆるボールタイプのもので、この場合は上記２箇所の点接触位置の円周方向中心位置がそれぞれ上記支持位置２ａ、３ａとなる。
【００６７】
さらに、図示の実施形態は、ワーク回転主軸１、外径用砥石車４および内径用砥石車５の軸線が上下方向に配置されてなる立形のシュータイプセンタレス複合研削盤であるが、本発明は、上記軸線が水平横方向に配置されてなる横形のシュータイプセンタレス複合研削盤にも適用可能である。
【００６８】
また、図示の実施形態においては、ワークＷの外径面Ｗａを支持する支持手段として、外径面Ｗａを摺接支持する２つのシュー２、３が採用されているが、このほか、外径面Ｗａを回転支持する支持ローラが採用されても良い。
【符号の説明】
【００６９】
Ｗ                      ワ−ク（工作物）
Ｗａ                    ワ−クの外径面
Ｗｂ                    ワークの内径面
Ｗｃ、Ｗｄ              ワークの端面
Ｆ4                     外径用砥石車の研削荷重
Ｆ5                     内径用砥石車の研削荷重
Ｆ45                    内径用および外径用砥石車の研削荷重の合力
１                      ワーク回転主軸
２                      フロントシュー
２ａ                    フロントシューによるワーク外径面の支持位置
３                      リヤシュー
３ａ                    リヤシューによるワーク外径面の支持位置
４                      外径用砥石車
４ａ                    外径用砥石車の外径面研削位置
５                      内径用砥石車
５ａ                    内径用砥石車の内径面研削位置
６                      制御装置（制御手段）
【図１】
2014213398.tif 000003
【図２】
2014213398.tif 000004
【図３】
2014213398.tif 000005
【図４】
2014213398.tif 000006
【図５】
2014213398.tif 000007
【図６】
2014213398.tif 000008
【図７】
2014213398.tif 000009